(57)【要約】  ＬＥＤ電球のための熱放散デバイス（１）は、土台（１１）、および、２またはそれ以上の熱放散本体部（１２）を含む。熱放散本体部（１２）は、土台の中心軸のまわりに均一に配され、隣接する熱放散本体部（１２）の間に一定の空間が残され、その結果、土台の中心軸から外側に放射状に広がる熱放散チャネル（１３）が形成される。熱放散本体部（１２）の断面はＶ字形である。熱放散デバイス（１）を含むＬＥＤ電球がさらに提供され、ＬＥＤ光源アセンブリ（２）は熱放散本体部（１２）に固定される。【選択図】図６
2013527575.tif 000002
【特許請求の範囲】
【請求項１】
ＬＥＤ電球のための熱放散デバイス（１）であって、
熱放散デバイス（１）は、土台（１１）、および、２またはそれ以上の熱放散本体部（１２）を含み、２またはそれ以上の熱放散本体部（１２）は、土台の中心軸のまわりに均一に配され、および、隣接する熱放散本体部（１２）の間に一定の空間が残され、その結果、土台の中心軸から外側に放射状に広がる熱放散チャネル（１３）が形成される、熱放散デバイス（１）。
【請求項２】
熱放散本体部（１２）はＶ字形の断面を有し、熱放散本体部（１２）のＶ字形の断面の頂部は、土台の中心軸に面しており、熱放散本体部（１２）のＶ字形の断面の開口部は、土台の中心軸に対して外側に面している、請求項１に記載のＬＥＤ電球のための熱放散デバイス（１）。
【請求項３】
熱放散本体部（１２）のＶ字形の断面の各々の開口の角度は、１０°から１８０°までの範囲である、請求項２に記載のＬＥＤ電球のための熱放散デバイス（１）。
【請求項４】
熱放散デバイス（１）は、複数の熱放散フィン（１４）をさらに含み、土台（１１）は円筒状であり、熱放散フィン（１４）は、円筒状の土台（１１）の外壁から外側に伸長する、請求項１に記載のＬＥＤ電球のための熱放散デバイス（１）。
【請求項５】
中空の熱放散空洞（１５）は土台（１１）に構築される、請求項１に記載のＬＥＤ電球のための熱放散デバイス（１）。
【請求項６】
隣接する熱放散本体部（１２）間の空間は、０．５ｍｍから２０ｍｍまでの範囲である、請求項１に記載のＬＥＤ電球のための熱放散デバイス（１）。
【請求項７】
隣接する熱放散本体部（１２）間の空間は２ｍｍである、請求項１に記載のＬＥＤ電球のための熱放散デバイス（１）。
【請求項８】
熱放散本体部のＶ字形の断面の開口の角度は９０°である、請求項２に記載のＬＥＤ電球のための熱放散デバイス（１）。
【請求項９】
熱放散デバイス（１）とＬＥＤ光源モジュール（２）とを含む、高い熱放散を備えたＬＥＤ電球であって、
熱放散デバイス（１）は、土台（１１）、および、２またはそれ以上の熱放散本体部（１２）を含み、２またはそれ以上の熱放散本体部（１２）は、土台の中心軸のまわりに均一に配され、隣接する熱放散本体部（１２）の間に一定の空間が残され、その結果、土台の中心軸から外側に放射状に広がる熱放散チャネル（１３）が形成され、ＬＥＤ光源モジュール（２）は熱放散本体部（１２）に固定される、高い熱放散を備えたＬＥＤ電球。
【請求項１０】
熱放散本体部（１２）はＶ字形の断面を有し、熱放散本体部（１２）のＶ字形の断面の頂部は、土台の中心軸に面しており、熱放散本体部（１２）のＶ字形の断面の開口部は、土台の中心軸に対して外側に面し、
各々のＬＥＤ光源モジュール（２）は、Ｖ字形の断面を有する熱放散本体部（１２）の内部の底部および／または２つの側壁に固定され、反射シェード（３）は、Ｖ字形の断面を有する熱放散本体部（１２）の内部の底部および２つの側壁に設けられ、
高い熱放散を備えたＬＥＤ電球は、光伝達シェード（４）をさらに備え、各々の光伝達シェード（４）は、熱放散本体部（１２）のそれぞれ１つに留められ、内部のＬＥＤ光源モジュール（２）を覆う、請求項９に記載の高い熱放散を備えたＬＥＤ電球。
【請求項１１】
中空の熱放散空洞（１５）は土台（１１）に構築される、請求項１０に記載の高い熱放散を備えたＬＥＤ電球。
【請求項１２】
熱放散本体部（１２）のＶ字形の断面の各々の開口の角度は、１０°から１８０°までの範囲である、請求項１０に記載の高い熱放散を備えたＬＥＤ電球。
【請求項１３】
熱放散本体部（１２）は、複数の熱放散フィン（１４）をさらに含み、土台（１１）は円筒状であり、熱放散フィン（１４）は、円筒状の土台（１１）の外壁から外側に伸長する、請求項１０に記載の高い熱放散を備えたＬＥＤ電球。
【発明の詳細な説明】
【技術分野】
【０００１】
本発明は、半導体照明の技術分野に関し、とりわけ、ＬＥＤ電球のための熱放散デバイスと、高い熱放散を備えたＬＥＤ電球とに関する。ＬＥＤ電球は光リソースとして発光ダイオード（ＬＥＤ）を使用する。
【背景技術】
【０００２】
グローバルなエネルギー不足に関連して増大する懸念を背景に、エネルギー保存は我々が今後直面する最も重要な問題の１つである。高性能な光リソースの一種として、発光ダイオード（ＬＥＤ）は、寿命が長い、エネルギー消費が少ない、省エネ型である、環境に優しい、小型である、などの利点を備えている。それは、自動車、信号機、スクリーン、そして、照明分野でも一般に使用されている。ＬＥＤ電球は、光リソースとして発光ダイオード（ＬＥＤ）を使用する。白熱電球と螢光灯と比較すると、光リソースとしてＬＥＤを使用する照明用のＬＥＤ電球は、７０％以上の電力節約比を有する。
【０００３】
応用例が開発されるにつれ、ますます多くの電球の需要が高まっている。固体の光源の固有の特徴は、ＬＥＤ電球の電力が高ければ高いほど、ますます多くの熱を発生させることである。生じた熱が時間内に伝導または放散され得るか否かは、ＬＥＤ電球の照明の質と耐用年数に影響を与える重要な因子になっている。
【０００４】
先行技術のＬＥＤ電球は、主として、ランプホルダ、ランプアダプタ、ドライバー、熱放散デバイス、ＬＥＤ光源モジュール、光伝達シェード（ｌｉｇｈｔ  ｔｒａｎｓｍｉｔｔｉｎｇ  ｓｈａｄｅｓ）などを含む。
【０００５】
ＬＥＤ電球の一種について、該電球には配光のための反射デバイスが設けられる。ＬＥＤ光源モジュールが基板の一方の側に設けられ、基板のもう一方の側には熱放散フィンが設けられる。熱はすべて、基板のもう一方の側に設けられた熱放散フィンによってのみ放散され得る。それには、熱放散領域が小さく、動力を増やすことができないという欠点がある。ＬＥＤ電球の一般的な出力光束は低く、反射デバイスによって引き起こされる配光の光損失は非常に大きく、一般的なシステムの効率の悪さにつがなる。
【０００６】
ＬＥＤ電球の別の種類について、ＬＥＤ光源は、コア電極（ｃｏｒｅ  ｐｏｒｅ）に一体化され、シェルに包まれている。熱はすべて、閉じられたシェルの外部で伸長する、コア電極の外部の部品を通ってのみ放散され得る。ＬＥＤ電球の欠点は、熱の放散の効率が悪く、動力を増やすことができず、ＬＥＤ電球の一般的な出力光束が低く、顧客の要求を満たすことが難しい、といったことである。
【０００７】
先行技術のＬＥＤ電球の熱放散性能は優れたものではなく、ＬＥＤ電球の照明の質と耐用年数を保証するのは難しい。
【発明の概要】
【課題を解決するための手段】
【０００８】
本発明は、単純かつ独特な構造を有するとともに、優れた熱放散効果をもたらす、ＬＥＤ電球用の熱放散デバイスを提供することを目的としている。熱放散デバイスは、土台、および、２またはそれ以上の熱放散本体部を含み、２またはそれ以上の熱放散本体部は、土台の中心軸のまわりに均一に配され、および、隣接する熱放散本体部との間に一定の空間が残され、その結果、土台の中心軸から外側に放射状に広がる熱放散チャネルが形成される。
【０００９】
技術的なスキームは、以下のスキームにわたって改善され得る：
【００１０】
熱放散本体部は、Ｖ字形の断面を有し、熱放散本体部のＶ字形の断面の頂部は土台の中心軸に面し、熱放散本体部のＶ字形の断面の開口部は土台の中心軸に対して外側に面している。
【００１１】
熱放散本体部のＶ字形の断面の各開口の角度は、１０°から１８０°までの範囲である。
【００１２】
本発明は、単純な構造を有するとともに優れた熱放散効果をもたらす、高い熱放散を備えたＬＥＤ電球を提供することを目的としている。高い熱放散を備えたＬＥＤ電球は、熱放散デバイスとＬＥＤ光源モジュールとを含み、熱放散デバイスは、土台と、２またはそれ以上の熱放散本体部とを含み、２またはそれ以上の熱放散本体部は、土台の中心軸のまわりに均一に配され、隣接する熱放散本体部との間に一定の空間が残され、その結果、土台の中心軸から外側に放射状に広がる熱放散チャネルが形成され、および、ＬＥＤ光源モジュールは、熱放散本体部に固定される。
【００１３】
技術的なスキームは、以下のスキームにわたって改善され得る：
【００１４】
熱放散本体部は、Ｖ字形の断面を有し、熱放散本体部のＶ字形の断面の頂部は、土台の中心軸に面し、熱放散本体部のＶ字形の断面の開口部は、土台の中心軸に対して外側に面している。
【００１５】
各々のＬＥＤ光源モジュールは、Ｖ字形の断面を有する熱放散本体部の内部の底部および／または２つの側壁に固定され、反射シェードは、Ｖ字形の断面を有する熱放散本体部の内部の底部および２つの側壁に設けられる。
【００１６】
高い熱放散を備えたＬＥＤ電球は、光伝達シェードをさらに含み、および、各々の光伝達シェードは、熱放散本体部のそれぞれ１つに留められ、内部のＬＥＤ光源モジュールを覆う。
【００１７】
本発明のＬＥＤ電球のための熱放散デバイスは、単純かつ合理的な構造を有する。それは完全に新しく独特なもので、優れた熱放散効果を有している。
【００１８】
本発明の高い熱放散を備えたＬＥＤ電球は、先行技術のＬＥＤ電球にとっては、飛躍的な大きな進歩であり、革新的なものである。光源の領域で開発された熱放散空間（すなわち、熱放散チャネル）によって、ＬＥＤ電球の熱放散部分と照明部分は十分に一体化され、これによって、体積の小さなＬＥＤ電球に起因する熱放散空間の減少という問題は解決し、ＬＥＤ電球の耐用年数は伸びる。高い熱放散を備えたＬＥＤ電球は、組み立てやすく、生産コストが低く、審美的な外観を有している。
【図面の簡単な説明】
【００１９】
【図１】本発明のＬＥＤ電球のための熱放散デバイスを示す構造図である。
【図２】図１で示される熱放散デバイスの熱放散本体部の断面図である。
【図３】本発明の高い熱放散を備えるＬＥＤ電球を示す斜視図である。
【図４】図３で示される高い熱放散を備えるＬＥＤ電球を示す別の斜視図である。
【図５】図３で示される高い熱放散を備えるＬＥＤ電球の断面図である。
【図６】図３で示される高い熱放散を備えるＬＥＤ電球の熱放散デバイスの熱放散本体部の断面図である。
【００２０】
上記図の要素は以下のように表示される：
１：熱放散デバイス；
１１：土台；
１２：熱放散本体部；
１３：熱放散チャネル；
１４：熱放散フィン；
１５：熱放散空胴；
２：ＬＥＤ光源モジュール；
３：反射シェード；
４：光伝達シェード；
５：ドライバー；
６：ランプホルダ；
７：ランプアダプタ
【発明を実施するための形態】
【００２１】
本発明の目的、技術的なスキーム、および、利益をさらに明確なものとするために、本発明のＬＥＤ電球のための熱放散デバイスと、高い熱放散を備えたＬＥＤ電球は、添付の図面と好ましい実施形態に関連して、さらに詳細に記載される。当然のことながら、下記に記載された本発明の好ましい実施形態は、本発明を限定することを目的とはしておらず、本発明を説明することを目的としている。
【００２２】
図１と２に示されるように、本発明の１つの実施形態において、ＬＥＤ電球のための熱放散デバイス（１）は、土台（１１）、および、２またはそれ以上の熱放散本体部（１２）を含む。各々の熱放散本体部（１２）は、土台の中心軸に沿って伸長する。２またはそれ以上の熱放散本体部（１２）は、土台の中心軸のまわりに均一に配され、隣接する熱放散本体部（１２）の間に一定の空間が残され、その結果、土台の中心軸から外側に放射状に広がる熱放散チャネル（１３）が形成される。
【００２３】
好ましくは、隣接する熱放散本体部（１２）間の空間は、０．５ｍｍから２０ｍｍまでの範囲であり、すなわち、熱放散チャネル（１３）の幅は、０．５ｍｍから２０ｍｍまでの範囲である。この実施形態において、隣接する熱放散本体部（１２）間の空間は２ｍｍであり、すなわち、熱放散チャネル（１３）の幅は２ｍｍである。
【００２４】
図２で示されるように、この実施形態において、Ｖ字形の断面を備えた４つの熱放散本体部（１２）が設けられる。熱放散本体部（１２）のＶ字形の断面の頂部は、土台の中心軸に面しており、熱放散本体部（１２）のＶ字形の断面の開口部は、土台の中心軸に対して外側に面している。中空の熱放散空洞（１５）は、熱放散本体部が配置される側とは反対側の、土台の一方の側に構築される。
【００２５】
好ましくは、熱放散デバイス（１）は、複数の熱放散フィン（１４）をさらに含み、土台（１１）は円筒状である。熱放散フィン（１４）は、円筒状の土台（１１）の外壁から外側に伸長する。
【００２６】
好ましくは、４−３０の熱放散フィン（１４）が設けられる。
【００２７】
好ましくは、熱放散本体部のＶ字形の断面の各々の開口の角度は、１０°から１８０°までの範囲である。この実施形態では、熱放散本体部のＶ字形の断面の開口の角度は９０°である。
【００２８】
図３、４および５で示されるように、本発明の別の実施形態では、高い熱放散を備えたＬＥＤ電球は、熱放散デバイス（１）、ＬＥＤ光源モジュール（２）、反射シェード（３）、光伝達シェード（４）、ドライバー（５）、ランプホルダ（６）、および、ランプアダプタ（７）を含んでいる。
【００２９】
熱放散デバイス（１）は、土台（１１）、および、２またはそれ以上の熱放散本体部（１２）を含む。各々の熱放散本体部（１２）は、土台の中心軸に沿って伸長する。２またはそれ以上の熱放散本体部（１２）は、土台の中心軸のまわりに均一に配され、隣接する熱放散本体部（１２）の間に一定の空間が残され、その結果、土台の中心軸から外側に放射状に広がる熱放散チャネル（１３）が形成される。Ｖ字形の断面を備えた４つの熱放散本体部が設けられる。熱放散本体部（１２）のＶ字形の断面の頂部は、土台の中心軸に面しており、熱放散本体部（１２）のＶ字形の断面の開口部は、土台の中心軸に対して外側に面している。熱放散本体部のＶ字形の断面の開口の角度は、９０°である。中空の熱放散空洞（１５）は、熱放散本体部が配置される側とは反対側の、土台の一方の側に構築される。
【００３０】
図６で示されるように、各々のＬＥＤ光源モジュール（２）は、Ｖ字形の断面を有する熱放散本体部の内部の底部および／または２つの側壁に固定される。反射シェード（３）は、Ｖ字形の断面を有する熱放散本体部の内部の底部および２つの側壁に設けられる。光伝達シェード（４）は、熱放散本体部のそれぞれ１つに留められ、内部のＬＥＤ光源モジュール（２）を覆う。
【００３１】
ランプホルダ（６）は、スナップフィットを介して土台（１１）に留められる。すなわち、土台（１１）は、空気対流を作るために空気と連通する。
【００３２】
ドライバー（５）は、中空の熱放散空胴（１５）の内部に配置され、ドライバーはワイヤーを介してＬＥＤ光源モジュール（２）に接続され、電気接続を実現するためにランプホルダ（６）によってランプアダプタ（７）に接続される。
【００３３】
好ましくは、ＬＥＤ電球の発光効率を上げるために、反射シェード（３）は、高反射速度の材料から作られ、光伝達シェード（４）は、高い光線透過率の透過性材料で作られる。
【００３４】
様々な方向における熱放散本体部（１２）は、ＬＥＤ光源モジュール（２）によって生じた熱が、熱放散チャネル（１３）を介して効率的に放散され、熱放散フィン（１４）を介して伝導または放散されることを可能にする。大きな熱放散表面と優れた熱放散効果は、高電力のＬＥＤ電球にとって有益であり、製品の耐用年数を伸ばす。
【００３５】
当業者にとっては当然のことであるが、本発明の様々な修正や変更は、本発明の範囲を逸脱することなく、本明細書でなされてもよい。修正と変更が本発明の請求項と同等物の範囲内である場合、本発明はこれらの修正や変更をすべて含むように意図されている。
【図１】
2013527575.tif 000003
【図２】
2013527575.tif 000004
【図３】
2013527575.tif 000005
【図４】
2013527575.tif 000006
【図５】
2013527575.tif 000007
【図６】
2013527575.tif 000008
【国際調査報告】
2013527575.tif 000009
2013527575.tif 000010
2013527575.tif 000011
2013527575.tif 000012
2013527575.tif 000013
2013527575.tif 000014